(57)【要約】【課題】  放電開始電圧を安定化でき、画質を向上させることが可能なプラズマディスプレイパネルを提供する。【解決手段】  放電空間１３内に封入された放電ガスが、ヘリウム、ネオン、アルゴン、クリプトン及びキセノンのうちの少なくとも１種類以上のガスを含み、かつ、ある分圧の酸素が添加されている。放電ガス中の酸素の分圧が１％以下、好ましくは０．１％乃至１％である。放電ガスにおける希ガス成分はヘリウム、ネオン及びキセノンから成っていることが好ましい。【選択図】    図３
2006066316.tif 000002
【特許請求の範囲】
【請求項１】
放電空間が形成され、該放電空間内に放電ガスが封入されたプラズマディスプレイパネルにおいて、
放電ガスが、ヘリウム、ネオン、アルゴン、クリプトン及びキセノンのうちの少なくとも１種類以上のガスを含み、かつ希ガス以外の気体を少なくとも１種類以上含んでいることを特徴とするプラズマディスプレイパネル。
【請求項２】
請求項１に記載のプラズマディスプレイパネルにおいて、希ガス以外の気体が酸素であることを特徴とするプラズマディスプレイパネル。
【請求項３】
請求項２に記載のプラズマディスプレイパネルにおいて、放電ガス中の酸素の分圧が１％以下であることを特徴とするプラズマディスプレイパネル。
【請求項４】
請求項２に記載のプラズマディスプレイパネルにおいて、放電ガス中の酸素の分圧が０．１％乃至１％であることを特徴とするプラズマディスプレイパネル。
【請求項５】
請求項１乃至４の何れか一項に記載のプラズマディスプレイパネルにおいて、放電ガスにキセノンが含まれていることを特徴とするプラズマディスプレイパネル。
【請求項６】
請求項５に記載のプラズマディスプレイパネルにおいて、放電ガスにネオンが含まれていることを特徴とするプラズマディスプレイパネル。
【請求項７】
請求項６に記載のプラズマディスプレイパネルにおいて、放電ガスにヘリウムが含まれていることを特徴とするプラズマディスプレイパネル。
【請求項８】
請求項１乃至４の何れか一項に記載のプラズマディスプレイパネルにおいて、放電ガスにおける希ガス成分がヘリウム、ネオン及びキセノンから成っていることを特徴とするプラズマディスプレイパネル。
【請求項９】
請求項１乃至８の何れか一項に記載のプラズマディスプレイパネルと、このプラズマディスプレイパネルを駆動する駆動回路と、を備えることを特徴とするプラズマ表示装置。
【請求項１０】
放電空間が形成され、該放電空間内に放電ガスが封入されたプラズマディスプレイパネルを製造する方法において、
ヘリウム、ネオン、アルゴン、クリプトン及びキセノンのうちの少なくとも１種類以上のガスを含み、かつ希ガス以外の気体を少なくとも１種類以上含んでいる放電ガスを前記放電空間内に封入する過程を備えることを特徴とするプラズマディスプレイパネルの製造方法。
【発明の詳細な説明】
【技術分野】
【０００１】
本発明は、放電空間内に放電ガスが封入されたプラズマディスプレイパネルに関し、特に放電開始電圧の安定化が図られる放電ガス成分を有するＡＣ型プラズマディスプレイパネルに関する。
【背景技術】
【０００２】
近年、大画面化が容易で且つ薄型の表示デバイスとしてプラズマディスプレイパネル（Ｐｌａｓｍａ  Ｄｉｓｐｌａｙ  Ｐａｎｅｌ  ：以下、ＰＤＰと記す）が注目を集めている。
【０００３】
図１にＡＣ型ＰＤＰの分解斜視図を示す。
【０００４】
ＰＤＰは、相互に平行に配置された前面基板１０及び背面基板１１の２枚の基板を備え、この２枚の基板と背面基板１１側に取り付けられた隔壁１２によって放電空間１３が形成されている。この放電空間１３内には、ヘリウム、ネオン、アルゴン、キセノンなどの希ガスが封入されている。
【０００５】
ＰＤＰにおける画像の表示は、前面基板１０に取り付けられた走査電極１４と維持電極１５、及び背面基板１１に取り付けられたデータ電極１６の３電極にそれぞれ駆動波形を印加することにより所望の放電を起こさせ、放電により発生した紫外線により隔壁１２面に塗布された蛍光体を発光させることにより行う。
【０００６】
図２に所望の放電を起こさせるために各電極に印加する駆動波形の一例を示す。
【０００７】
すなわち、図２には走査電極１４に印加する走査電極波形２５、維持電極１５に印加する維持電極波形２６及びデータ電極１６に印加するデータ電極波形２７が示されている。
【０００８】
各電極に印加する波形はサブフィールド２０という基本単位を有し、サブフィールド２０の動作を繰り返すことにより一連の画像表示を行うことができる。
【０００９】
１つのサブフィールド２０は、維持消去期間２１、予備放電期間２２、走査期間２３及び維持期間２４の４つの期間を、時系列においてこの順に備えて構成されている。
【００１０】
以下では、サブフィールド２０を構成する各期間における放電空間内の動作を順に説明する。
【００１１】
（１）  維持消去期間２１
維持期間２４に続く維持消去期間２１には、維持放電を止め、維持放電によって前面基板１０の保護層１８に形成される電荷（以下、壁電荷と記す）を減少もしくは消滅させる役割がある。図２では壁電荷を減少もしくは消滅させるために、走査電極１４に傾斜波２１０を印加している。
【００１２】
（２）  予備放電期間２２
予備放電は放電セル内の荷電粒子を活性化させて書き込み放電を起こし易くするために行う。走査電極１４に傾斜波２２０を印加し維持電極１５との間に弱放電を起こす。その後、走査電極１４と維持電極１５間に逆極性の電位差２２１を与え、弱放電を起こす。一連の弱放電により荷電粒子を活性化させ、書き込み放電を起こしやすくする。予備放電を起こすためのパルスは傾斜波に限られるものではなく、上記の様な動作が可能であればどのような波形であっても良い。
【００１３】
（３）  走査期間２３
走査期間２３では書き込み放電を起こすことによって発光させるセルを選択する。維持放電及び予備放電が走査電極１４と維持電極１５間の面放電であるのに対して書き込み放電は走査電極１４とデータ電極１６間の対向放電であることが特徴である。書き込み放電は走査電極波形２５のパルス２３０のタイミングに合わせて、データ電極１６にパルス２３１を印加することにより起こす。書き込み放電後には保護層１８上に壁電荷が形成される。
【００１４】
（４）  維持期間２４
維持期間２４では走査期間２３で選択されたセルで維持放電を起こし発光させる。書き込み放電を行わなかったセル（すなわち保護層１８上に壁電荷が形成されていないセル）は発光しない。維持放電は走査電極１４と維持電極１５に位相を反転させたパルスを連続して印加することにより起こす。
【００１５】
以下では、ＡＣ型ＰＤＰにおいて階調表示を行う方法を説明する。動画を表示するための基本となる１フィールド（１／６０秒）は複数のサブフィールドから構成されている。各サブフィールドは独立に操作することが可能で、通常は各サブフィールドの維持パルスの印加回数（維持パルス数）は異なっている。維持発光の輝度は維持パルス数に影響されるので、維持パルス数の異なるサブフィールドでは発光輝度も異なる。例えば１フィールド内にｎ個のサブフィールドがある場合には、各サブフィールドの輝度比を２m（ｍ＝０，１，２，・・・，ｎ）になるように維持パルス数を制御すると、２nの階調を表現する事が出来る。
【発明の開示】
【発明が解決しようとする課題】
【００１６】
ＡＣ型ＰＤＰを駆動させて画像を表示する場合、各電極に駆動波形を印加して所望の放電を確実に起こす必要がある。ガス放電を起こすために最も重要となる特性値の一つに放電開始電圧がある。放電開始電圧とは、放電ガスが封入された放電空間に持続放電を発生させるための閾値となる電圧のことである。この放電開始電圧によって、印加するパルスの電圧が決まってくると共に、ＰＤＰの発光特性にも大きな影響を与える。
【００１７】
しかし上記のような方法でＡＣ型ＰＤＰを駆動すると、書き込みや維持放電の有無、維持パルス数の変化などによって放電開始電圧は変動するという事が分かっている。
【００１８】
このような条件で放電開始電圧が変動すると、発光輝度が安定せずに画質が低下するという問題があった。
【００１９】
本発明は、上記のような問題点を解決するためになされたもので、放電開始電圧を安定化でき、画質を向上させることが可能なプラズマディスプレイパネル、プラズマ表示装置及びプラズマディスプレイパネルの製造方法を提供することを目的とする。
【課題を解決するための手段】
【００２０】
本発明者は、上記課題解決のための研究過程において、ヘリウム、ネオン、アルゴン、クリプトン、キセノンの少なくとも１種類以上を含む放電ガスに、ある分圧の酸素を添加することにより、放電開始電圧の安定化が図られ、プラズマディスプレイパネルの画質を向上させることが出来ることを発見した。
【００２１】
そこで、本発明のプラズマディスプレイパネルは、放電空間が形成され、該放電空間内に放電ガスが封入されたプラズマディスプレイパネルにおいて、放電ガスが、ヘリウム、ネオン、アルゴン、クリプトン及びキセノンのうちの少なくとも１種類以上のガスを含有し、かつ希ガス以外の気体を少なくとも１種類以上含有していることを特徴としている。
【００２２】
本発明のプラズマディスプレイパネルにおいては、希ガス以外の気体が酸素であることが好ましい。
【００２３】
この場合、放電ガス中の酸素の分圧は１％以下であることが好ましい。
【００２４】
或いは、放電ガス中の酸素の分圧は０．１％乃至１％であることが好ましい。
【００２５】
放電ガスはキセノンを含有していることが好ましい。
【００２６】
或いは、放電ガスはキセノン及びネオンを含有していることが好ましい。
【００２７】
或いは、放電ガスはキセノン、ネオン及びヘリウムを含有していることが好ましい。
【００２８】
或いは、放電ガスにおける希ガス成分はヘリウム、ネオン及びキセノンから成っていることが好ましい。
【００２９】
また、本発明のプラズマ表示装置は、本発明のプラズマディスプレイパネルと、このプラズマディスプレイパネルを駆動する駆動回路と、を備えることを特徴としている。
【００３０】
また、本発明のプラズマディスプレイパネルの製造方法は、放電空間が形成され、該放電空間内に放電ガスが封入されたプラズマディスプレイパネルを製造する方法において、ヘリウム、ネオン、アルゴン、クリプトン及びキセノンのうちの少なくとも１種類以上のガスを含み、かつ希ガス以外の気体を少なくとも１種類以上含んでいる放電ガスを前記放電空間内に封入する過程を備えることを特徴としている。
【発明の効果】
【００３１】
本発明によれば、ヘリウム、ネオン、アルゴン、クリプトン及びキセノンのうちの少なくとも１種類以上のガスを含む放電ガスに、希ガス以外の少なくとも１種類以上の気体（例えば酸素）を添加したことにより、放電開始電圧の安定化が図られ、プラズマディスプレイパネル及びこれを備えるプラズマ表示装置の画質を向上させることができる。
【発明を実施するための最良の形態】
【００３２】
以下、図面を参照して、本発明に係る実施形態について説明する。
【００３３】
図１は本実施形態に係るＡＣ型ＰＤＰの分解斜視図である。
【００３４】
図１に示すように、ＰＤＰ１５０は、相互に平行に配置された前面基板１０及び背面基板１１の２枚の基板を備えている。
【００３５】
前面基板１０における背面基板１１との対向面側には、透明な走査電極１４及び透明な維持電極１５が、それぞれＰＤＰ１５０の行方向（図１では左右方向）に延在するように設けられている。
【００３６】
更に、前面基板１０には、走査電極１４及び維持電極１５を覆う誘電体層１９並びにこの誘電体層１９を放電から保護する酸化マグネシウムなどからなる保護層１８が設けられている。
【００３７】
背面基板１１における前面基板１０との対向面側には、ＰＤＰ１５０の面方向に対し垂直な方向から見て、走査電極１４及び維持電極１５と直交する列方向（図１では手前側から右斜め奥に向かう方向）に延在するようにデータ電極１６が設けられている。
【００３８】
更に、背面基板１１には、データ電極１６を覆う誘電体層１９と、この誘電体層１９上において列方向に延在し、表示セルを行方向において区切る隔壁１２が、該誘電体層１９より垂直に起立する起立壁状に設けられている。
【００３９】
加えて、隔壁１２の側面及び誘電体層１９の表面上には、放電ガスの放電により発生する紫外線を可視光に変換する蛍光体層１７が形成されている。
【００４０】
こうして、前面基板１０と背面基板１１との間の空間には、隔壁１２により区画された放電空間１３が形成されている。
【００４１】
この放電空間１３内には、放電ガスが充填されている。
【００４２】
ここで、放電ガスの充填量は、放電空間１３内の圧力が３０ｋＰａ乃至８０ｋＰａ程度になるような量である。
【００４３】
本実施形態に係るＰＤＰ１５０においては、放電ガスにはヘリウム、ネオン、キセノンから成る３元系のガス（キセノン分圧１０％）に酸素を０．０１％乃至１％（より好ましくは０．１％乃至１％）添加したガスを使用する。
【００４４】
すなわち、ＰＤＰ１５０の製造工程には、ヘリウム、ネオン、キセノンから成る３元系のガスに酸素を０．０１％乃至１％（より好ましくは０．１％乃至１％）添加してなる放電ガスを放電空間１３内に封入する過程が含まれている。
【００４５】
ＰＤＰ１５０においては、行方向に延びるｎ本（ｎは自然数）の走査電極１４及びｎ本の維持電極１５を交互に所定間隔に備えるとともに、これらの走査電極１４及び維持電極１５に対し平面視で直交するように列方向に延びるｍ本（ｍは自然数）のデータ電極１６を備えている。
【００４６】
そして、走査電極１４とデータ電極１６との最近接点及び維持電極１５とデータ電極１６との最近接点を夫々１つずつ含むように、表示セルが行列状に配置されている。従って、ＰＤＰ１５０は（ｎ×ｍ）個の表示セルを備えている。
【００４７】
次に、上述の如く構成された本実施形態に係るＰＤＰ１５０の動作について説明する。
【００４８】
図２は各電極に印加する駆動波形の一例である。
【００４９】
ＰＤＰは１枚の画像を表示させるフィールドを繰り返すことにより、動画を表示する。各フィールドにおいては、複数のサブフィールド２０が順次実施され、１つのサブフィールド２０においては、維持消去期間２１、予備放電期間２２、走査期間２３及び維持期間２４の４つの期間が順次実施される。
【００５０】
維持消去期間２１は、維持期間２４において発光させた表示セル内の壁電荷を消去する期間である。
【００５１】
予備放電期間２２は、全ての表示セルを発光させて、全ての表示セル内の電荷状態を活性化させると共に電荷状態を揃え、初期化する期間である。
【００５２】
走査期間２３は、この走査期間２３に続く維持期間２４において維持放電を発生させようとする表示セルに書き込み放電を発生させ、壁電荷を形成する期間である。
【００５３】
維持期間２４は、走査期間２３において壁電荷が形成された表示セルで維持放電を生じさせる期間である。
【００５４】
上述の動作により、各表示セルにおいて、走査電極１４と維持電極１５との間で放電が発生し、この放電により発生した紫外線が蛍光体層１７を励起し、これにより蛍光体層１７から可視光が出射する。
【００５５】
この可視光はＰＤＰ１５０の保護層１８、誘電体層１９及び前面基板１０を透過してＰＤＰ１５０の前面から出力される。
【００５６】
従来、希ガスのみからなる放電ガスを使用したＰＤＰを駆動すると、予備放電のみを行った場合と予備放電後に書き込み放電や維持放電をおこなった場合とでは放電開始電圧が異なり、画質に悪影響を及ぼすという問題があった。
【００５７】
本実施形態に係るＰＤＰ１５０では、放電ガスに、ある分圧の酸素を添加し、放電開始電圧を安定化させることにより、上記問題点の解決を図っている。
【００５８】
（確認実験）
放電ガスにある分圧の酸素を添加することにより放電開始電圧の安定化が図られることについて上述したが、この根拠となる確認実験について図３を用いて説明する。
【００５９】
ここで、予備放電のみを行った場合の放電開始電圧をＶｆｐ、予備放電後に維持放電をおこなった場合の放電開始電圧をＶｆｓと定義する。
【００６０】
図３の横軸は放電ガス中に含まれる酸素の分圧を表し、縦軸では実線がＶｆｐ（予備放電のみを行った場合の放電開始電圧）を表し、破線が予備放電のみの場合と維持放電を行った場合との放電開始電圧差（Ｖｆｐ−Ｖｆｓ）を表している。維持放電の実効的な周波数は５０ｋＨｚである。維持放電の実効的な周波数とは各サブフィールドの長さ（時間）を基本とした時の維持パルス数を表している。
【００６１】
図３に示すように、Ｖｆｐの値は、酸素添加を行っていないＰＤＰの場合の２４０Ｖに対して、酸素分圧を０．０１％としたＰＤＰ１５０では２４２Ｖ、酸素分圧を０．０３％としたＰＤＰ１５０では２３７Ｖ、酸素分圧を０．１％としたＰＤＰ１５０では２４８Ｖ、酸素分圧を０．３％としたＰＤＰ１５０では２４５Ｖとなっている。
【００６２】
すなわち、酸素分圧をそれぞれ０．０１％、０．１％、０．３％として放電ガスに酸素添加を行うことによって放電開始電圧が若干上昇したことが分かる。
【００６３】
また、Ｖｆｐの値は、酸素分圧を１％としたＰＤＰ１５０では２８５．４Ｖ、酸素分圧を３％としたＰＤＰ１５０では３１５．５Ｖとなっていることから、酸素分圧が１％を超えるとＶｆｐが急激に上昇することが分かる。
【００６４】
一方で、（Ｖｆｐ−Ｖｆｓ）の値は、酸素添加を行っていないＰＤＰでは１２．４Ｖであった。それに対して、酸素分圧を０．０１％としたＰＤＰ１５０では１５．９Ｖ、酸素分圧を０．０３％としたＰＤＰ１５０では８．５Ｖ、酸素分圧を０．１％としたＰＤＰ１５０では２．８Ｖ、酸素分圧を０．３％としたＰＤＰ１５０では０．７Ｖであった。
【００６５】
このことから、放電ガスにおける酸素分圧が０．０３％乃至０．３％までのＰＤＰ１５０では、酸素添加を行っていないパネルと比べて（Ｖｆｐ−Ｖｆｓ）が小さいことが分かる。
【００６６】
放電開始電圧は放電において最も重要な特性値のうちの１つであり、ＰＤＰのデバイス特性に大きな影響を与える。また、ＰＤＰでは実効的な維持周波数を変えることによって階調表現を行っているため、上記の酸素添加を行っていないＰＤＰのように維持放電の有無や維持周波数の違いによって放電開始電圧が大きく異なると、デバイス特性に悪影響を及ぼし、ＰＤＰの画質の低下につながる。
【００６７】
これに対し、本実施形態に係るＰＤＰ１５０の場合には、酸素添加を行っていないパネルと比べて（Ｖｆｐ−Ｖｆｓ）が小さい、すなわち、維持放電の有無や維持周波数の違いによって放電開始電圧が大きく異なることがなく、放電開始電圧が安定化する。よって、画質を向上させることができる。
【００６８】
なお、酸素分圧が０．１％のＰＤＰ１５０の放電開始電圧差は２．８Ｖであり、この程度の電圧差でもＰＤＰ１５０の画質向上に効果があるが、発明の効果を顕著に出すためには酸素分圧が０．１％よりも大きいことが望ましい。
【００６９】
また酸素分圧が１％を超えると放電開始電圧が急激に上昇し、ＰＤＰを駆動する事が困難になると共にドライバなどのコスト上昇にもつながるため、酸素分圧は１％以下が望ましい。
【００７０】
最終的に放電空間内における酸素の分圧が上記範囲内となるようにできれば、酸素添加の方法はどのようなものでもかまわない。
【００７１】
次に、図４を参照して、以上において説明したＰＤＰ１５０を備えて構成されるプラズマ表示装置の好適な一例について説明する。
【００７２】
図４は、本実施形態に係るプラズマ表示装置の好適な一例を示す概略的なブロック図である。
【００７３】
図４に示すプラズマ表示装置１００は、アナログインタフェース１２０と、ＰＤＰモジュール１３０とを備えて概略構成されている。
【００７４】
ＰＤＰモジュール１３０は、上記のようにして製造されたプラズマディスプレイパネル１５０（以下、ＰＤＰ１５０）を備えている。
【００７５】
アナログインタフェース１２０は、クロマ・デコーダを備えたＹ／Ｃ分離回路１２１と、Ａ／Ｄ変換回路１２２と、ＰＬＬ回路を備えた同期信号制御回路１２３と、画像フォーマット変換回路１２４と、逆γ（ガンマ）変換回路１２５と、システム・コントロール回路１２６と、ＰＬＥ制御回路１２７とを備えて構成されている。
【００７６】
アナログインタフェース１２０は、概略的には、受信したアナログ映像信号をディジタル信号に変換したのち、これをＰＤＰモジュール１３０に供給する機能を有している。
【００７７】
例えばテレビチューナーから入力されるアナログ映像信号は、Ｙ／Ｃ分離回路１２１において、Ｒ（赤），Ｇ（緑）、Ｂ（青）の各色の輝度信号に分解されたのち、Ａ／Ｄ変換回路１２２においてディジタル信号に変換される。
【００７８】
その後、ＰＤＰモジュール１３０の画素構成と映像信号の画素構成とが相互に異なる場合には、画像フォーマット変換回路１２４において、必要な画像フォーマットの変換処理が行われる。
【００７９】
Ａ／Ｄ変換回路１２２において、映像信号のＡ／Ｄ（アナログ／ディジタル）変換を行ったのち、逆γ変換回路１２５において、映像信号に対して逆γ変換を施して、線形特性に復元されたディジタル映像信号を生成する。このようにして生成されたディジタル映像信号は、ＲＧＢ映像信号として、ＰＤＰモジュール１３０に出力される。
【００８０】
同期信号制御回路１２３に内蔵されているＰＬＬ（位相同期ループ）回路は、アナログ映像信号と同時に供給される水平同期信号を基準として、サンプリングクロック信号およびデータクロック信号を生成して、ＰＤＰモジュール１３０に出力する。
【００８１】
アナログインタフェース１２０のＰＬＥ制御回路１２７は、ＰＤＰの輝度制御を行う。具体的には、平均輝度レベルが所定値以下である場合には表示輝度を上昇させ、平均輝度レベルが所定値を超える場合には、表示輝度を低下させるように制御する。
【００８２】
システム・コントロール回路１２６は、ＰＤＰモジュール１３０に対して、各種制御信号を出力する。
【００８３】
ＰＤＰモジュール１３０は、ディジタル信号処理・制御回路１３１と、パネル部１３２と、ＤＣ／ＤＣコンバータを内蔵するモジュール内電源回路１３３とから構成されている。ディジタル信号処理・制御回路１３１は、入力インタフェース信号処理回路１３４と、フレームメモリ１３５と、メモリ制御回路１３６と、ドライバ制御回路１３７とを含んでいる。
【００８４】
入力インタフェース信号処理回路１３４は、システム・コントロール回路１２６から発信される各種制御信号、逆γ変換回路１２５から発信されるＲＧＢ映像信号、同期信号制御回路１２３から発信される同期信号、ＰＬＬ回路から発信されるデータクロック信号を受信する。
【００８５】
入力インタフェース信号処理回路１３４に入力された映像信号の平均輝度レベルは、入力インタフェース信号処理回路１３４内の入力信号平均輝度レベル演算回路（図示略）によって計算されて、例えば５ビットデータとして出力される。また、ＰＬＥ制御回路１２７は、平均輝度レベルに応じてＰＬＥ制御データを設定して、入力インタフェース信号処理回路１３４内の輝度レベル制御回路（図示略）に供給する。
【００８６】
ディジタル信号処理・制御回路１３１では、入力インタフェース信号処理回路１３４において、これらの各種信号の処理を行ったのち、制御信号をパネル部１３２に送信する。これと同時に、メモリ制御回路１３６はメモリ制御信号を、ドライバ制御回路１３７はドライバ制御信号を、それぞれパネル部１３２に送信する。
【００８７】
パネル部１３２は、ＰＤＰ１５０と、ＰＤＰ１５０の走査電極を駆動する走査ドライバ１３８と、ＰＤＰ１５０のデータ電極を駆動するデータドライバ１３９と、ＰＤＰ１５０および走査ドライバ１３８にパルス電圧を供給する高圧パルス回路１４０と、高圧パルス回路１４０からの余剰電力を回収する電力回収回路１４１とを備えて構成されている。
【００８８】
ＰＤＰ１５０は、例えば１３６５個×７６８個に配列された画素を有するものとして構成されている。ＰＤＰ１５０においては、走査ドライバ１３８が走査電極を制御し、データドライバ１３９がデータ電極（アドレス電極）を制御することによって、これらの画素のうちの所定の画素の点灯または非点灯が制御されて、所望の画像表示が行われる。
【００８９】
このようなプラズマ表示装置１００は、ＰＤＰ１５０を備えているため、放電開始電圧の安定化が図られた、高画質のプラズマ表示装置とすることができる。
【００９０】
以上のような実施形態によれば、放電ガスにある分圧の酸素を添加したことにより、放電開始電圧の安定化が図られ、プラズマディスプレイパネル１５０及びこれを備えるプラズマ表示装置１００の画質を向上させることができる。
【００９１】
なお、上記の実施形態では、キセノン分圧が１０％の放電ガスを使用したが、本実施形態と同様の効果を得るためには希ガス中のキセノン分圧が４％乃至１００％であっても良い。
【００９２】
また、上記の実施形態では、放電ガスとして、ヘリウム、ネオン、キセノンから成る３元系のガスに酸素を添加したガスを使用する例を説明したが、本発明はこの例に限らず、ヘリウム、ネオン、アルゴン、クリプトン、キセノンの少なくとも１種類以上を含有するガスを含み、かつ希ガス以外の気体を少なくとも１種類以上含むような放電ガスを使用しても良い。
【００９３】
そのような放電ガスの好ましい例としては、ヘリウム、ネオン、アルゴン、クリプトン、キセノンの少なくとも１種類以上を含有するガスに、酸素を添加した放電ガスが挙げられる。また、この場合の酸素の分圧も、上記実施形態と同様に、０．０１％乃至１％であることが好ましく、０．１％よりも大きいことが一層好ましい。
【００９４】
更に、そのような放電ガスが含有する希ガスの好適な例としては、例えば、キセノンのみからなる場合（上述した希ガス中のキセノン分圧が１００％の場合に相当）、キセノン及びネオンを含有してなる場合、キセノン及びネオンのみを含有してなる場合、キセノン、ネオン及びヘリウムを含有してなる場合、キセノン、ネオン及びヘリウムのみを含有してなる場合などが挙げられる。
【図面の簡単な説明】
【００９５】
【図１】プラズマディスプレイパネルの基本的な構造を示す分解斜視図である。
【図２】プラズマ表示装置の各電極に印加する駆動波形の一例を示す図である。
【図３】横軸に酸素分圧を取り、縦軸に放電開始電圧及び放電開始電圧差を示す図である。
【図４】プラズマ表示装置の構成を示すブロック図である。
【符号の説明】
【００９６】
１０    前面基板
１１    背面基板
１２    隔壁
１３    放電空間
１４    走査電極
１５    維持電極
１６    データ電極
１７    蛍光体層
１８    保護層
１９    誘電体層
２０    １サブフィールド期間
２１    維持消去期間
２２    予備放電期間
２３    走査期間
２４    維持期間
２５    走査電極波形
２６    維持電極波形
２７    データ電極波形
１５０  プラズマディスプレイパネル
１００  プラズマ表示装置
【図１】
2006066316.tif 000003
【図２】
2006066316.tif 000004
【図３】
2006066316.tif 000005
【図４】
2006066316.tif 000006